(57)【特許請求の範囲】
【請求項１】
複数の冊子分の用紙が各冊子毎のページ順に所定の時間間隔で送られてくる用紙の受け取り順に製本処理位置に搬出する製本システムおける用紙搬送装置において、１冊分の冊子の最初のページの用紙の搬出を前記所定の時間間隔以内の製本処理時間遅らせてなることを特徴とする製本システムにおける用紙搬送装置。
【発明の詳細な説明】
【０００１】
【発明の属する技術分野】
本発明は、用紙搬送装置に関し、特に冊子を構成する用紙の搬送間隔時間と製本処理時間との整合を図る製本システムにおける用紙搬送装置に関するものである。
【０００２】
【従来の技術】
近年、印刷機や複写機を製本機に連結し、印刷や複写した用紙をページ（この明細書では１枚の用紙の順序番号を示す。）順に連続的に製本機に搬送して、中綴じ、中綴じ折り、平綴じ、コーナ綴じ等の製本をすることのできる製本システムの開発が望まれている。印刷機にはオンディマンド印刷機と呼ばれるページ順に用紙が印刷される印刷機があり、中でもロール紙を使用してページ順に次々に用紙が印刷され、１ページ毎に送出する印刷機がある。
【０００３】
この印刷機と製本機とを連結した場合の全体の概略構成を図３に示し、簡単に説明すると、この図３において、１は中綴じ、平綴じ、コーナ綴じ等の製本処理を行う製本装置、２はロール紙を使用するオンディマンド印刷機、３は第１の搬送装置、４は第２の搬送装置、５はカッター、６は印刷用のロール紙、７は印刷後の用紙である。
【０００４】
印刷用のロール紙６は順次引き出されて図示しない印刷装置により冊子となるページ順に次々と印刷される。印刷された用紙７は、ページ毎にカッター５で切り離されて、高速の第１の搬送装置３により送出される。印刷機２から第１の搬送装置３に送出されたページ順毎の各用紙は、製本装置の搬入側に設置された第２の搬送装置４に送られる。
【０００５】
第２の搬送装置４に送られた用紙は、ここで加速されて図示しない製本処理位置に送出される。製本処理位置では、第２の搬送装置４から送出されたページ順の各用紙を順次積み重ね、１冊分の最後の用紙が積み重ねられると製本処理を行い製本装置１から排出される。
【０００６】
このように製本装置１は印刷機２から１ページ毎に送出される用紙を次々受け取り、一冊分の用紙を受け取ってから製本処理がなされる。この製本処理は、一冊分の最後のページの用紙を受け取ってから、つぎの冊の１ページ目が搬送されてくるまでの間の時間、すなわち搬送間隔時間内に行う必要があるが、製本処理には所定の時間を要し、この製本処理時間を確保する必要がある。
【０００７】
【発明が解決しようとする課題】
製本処理時間が搬送間隔時間よりも短い場合は問題はないが、印刷速度や用紙サイズの変更などによって製本処理時間を確保することが困難な場合がある。このような場合、製本処理時間を確保するためには、１冊分の印刷が終わる度に製本処理時間印刷を停止すれば良いが、特にロール紙を使用する印刷機械では印刷を停止することは困難なものである。
【０００８】
本発明は、このような実状に鑑みなされたもので、複数の冊子分の各用紙が一定の時間間隔で送られてくる用紙の製本処理において、製本処理時間を充分に確保することのできる製本システムにおける用紙搬送装置を提供することを目的とする。
【０００９】
【課題を解決するための手段】
本発明の目的は、複数の冊子分の用紙が各冊子毎のページ順に所定の時間間隔で送られてくる用紙の受け取り順に製本処理位置に搬出する製本システムおける用紙搬送装置において、１冊分の冊子の最初のページの用紙の搬出を前記所定の時間間隔以内の製本処理時間遅らせてなることを特徴とする製本システムにおける用紙搬送装置とすることにより達成される。
【００１０】
本発明の特徴によれば、１冊分の冊子の最終ページの用紙を製本処理位置に搬出後、次の冊子の最初のページの用紙の搬出が遅らされ、この遅らされる分製本処理時間として確保される。これにより従来では製本処理が不可能であった例えば用紙サイズの冊子に対しても製本可能になる。
【００１１】
【発明の実施の形態】
以下、本発明に係る製本システムおける用紙搬送装置の実施の形態について、図を参照して説明する。図１は本発明に係る実施の形態の用紙搬送装置の構成を示す斜視図、図２は図１に示す用紙搬送装置の動作説明図である。なお、図１に示す用紙搬送装置は、図３を参照して説明した第２の搬送装置として設置される用紙搬送装置である。
【００１２】
図１において、１１はモーター、１２はワンウェークラッチ、１３、１５、１８ａ、１８ｂ、２３ａ、２３ｂはプーリ、１４及び１７は回転伝達軸、１６は電磁クラッチ、１９は搬送ベルト、２０は低速側の動力伝達ベルト、２１は高速側の動力伝達ベルト、２２は用紙押えローラである。なお、用紙は図面右下方向から搬入され左上方向に送出する。
【００１３】
回転伝達軸１７は、搬送ベルト１９が掛け渡されるプーリ１８ａ、１８ｂが固定され、一端はワンウェークラッチ１２が取り付けられ、他端は電磁クラッチ１６が取り付けられている。プーリ１８ａ、１８ｂに掛け渡された２本の搬送ベル１９はそれぞれ用紙搬送方向の前方に設置されたプーリ２３ａ、２３ｂに掛け渡され回転伝達軸１７の回転に伴って回転するプーリ１８ａ、１８ｂの回転により周回移動し、この移動によって図示していない用紙は送り出される。
【００１４】
回転伝達軸１７の一端のワンウェークラッチ１２には、モーター１２の回転を伝達する低速側の動力伝達ベルト２０が掛け渡され、このベルト２０は回転伝達軸１４の一端に固定されたプーリ１３に掛け渡されていて、モーター１２の回転によりワンウェークラッチ１２とプーリ１３が回転し、プーリ１３はワンウェークラッチ１２よりも高速に回転する。プーリ１３の回転は回転伝達軸１４を介して回転伝達軸１４の他端に固定されているプーリ１５を回転し、このプーリ１５に掛け渡された高速側ベルト２１により回転伝達軸１７の他端の電磁クラッチ１６を回転させる。
【００１５】
通常、回転伝達軸１７は電磁クラッチ１６に連結され高速回転し、用紙は高速に加速されて送り出される。この状態で一冊分の最後のページの用紙を送り出すと、回転伝達軸１７は電磁クラッチ１６の連結が外され、ワンウェークラッチ１２によって低速に回転し、この低速によって次の冊子の最初のページの用紙の送出が遅らされる。その最初のページの用紙を送り出すと再び回転伝達軸１７は電磁クラッチ１６に連結され高速回転し、以後この搬送が繰り返される。
【００１６】
なお、電磁クラッチ１６の制御は、図示していない製本装置の入口、すなわち製本処理部の入口の用紙検出器の信号およびこの製本装置に連結される印刷機等からの１冊分の最後のページの用紙の送り出し信号により制御される。
【００１７】
このように構成された用紙搬送装置は、図２に示すように動作する。すなわち図２は４枚の用紙（４ページ）で１冊が構成されてあるとしての説明図で図２の（ａ）はこの用紙搬送装置に送られてくる用紙の流れ、（ｂ）はこの用紙搬送装置から送り出された用紙の流れ、（ｃ）は印刷機からの１冊分の最後のページの送り出し信号、（ｄ）は電磁クラッチの動作タイミング、（ｅ）は製本装置の入口の用紙検出信号を示している。
【００１８】
この用紙搬送装置までは、１冊目、２冊目にかかわらず各冊子を構成する用紙は所定の一定の時間間隔ｔ０で送られてくる（図２の（ａ））。最初の１冊目の４ページの各用紙は、回転伝達軸１７が電磁クラッチ１６に連結されていて送られてきた順にしたがい所定の一定の時間間隔ｔ０で高速に製本処理位置に送り出す。
【００１９】
１冊目の最後の第４ページの用紙を送り出した印刷機の信号（図２の（ｃ））を受け、所定のタイミング（図３で示した第１搬送装置等で要する時間ｔ３）後回転伝達軸１７は電磁クラッチ１６から外され、搬送ベルト１９は低速移動となり、この状態で２冊目の最初の第１ページの用紙を受け取り、ここで２冊目の最初の第１ページの用紙の送り出すタイミングは遅らされ、１冊目の最後の第４ページの用紙を送り出した時から２冊目の最初の第１ページの用紙を送り出す時間ｔ１はｔ０よりも長くなる（図２の（ｂ））。
【００２０】
この時間ｔ１により最初の１冊目の製本処理時間は充分に確保される。電磁クラッチ１６が外されている時間は、次に送られてくる用紙と重ならないように予め各用紙の搬送間隔時間である所定の一定の時間間隔ｔ０以内で製本処理時間を考慮して設定されている。これにより、その設定時間経過後、転伝達軸１７は電磁クラッチ１６に連結され、送られてきた順にしたがい所定の一定の時間間隔ｔ０で高速に製本処理位置に送り出す。以下、搬送ベルト１９の低速移動は各冊子の間で繰り返される。
【００２１】
【発明の効果】
以上詳述したように、本発明によれば、冊子の間隔毎に長い時間を確保することができ、製本処理時間が充分に確保され、製本機をロール紙を使用するオンディマンド印刷機においても連結可能にする製本システムにおける用紙搬送装置を提供することができる。
【図面の簡単な説明】
【図１】本発明に係る実施の形態の用紙搬送装置の構成を示す斜視図である。
【図２】図１に示す用紙搬送装置の動作説明図である。
【図３】印刷機と製本機とを連結した場合の全体の概略構成図である。
【符号の説明】
１    製本装置
２    印刷機
３    第１の搬送装置
４    第２の搬送装置
１１  モーター
１２  ワンウェークラッチ
１３、１５、１８ａ、１８ｂ、２３ａ、２３ｂはプーリ
１４、１７は回転伝達軸
１６  電磁クラッチ
１９  搬送ベルト
２０  低速側の動力伝達ベルト
２１  高速側の動力伝達ベルト
【図１】
0003553296.tif 000002
【図２】
0003553296.tif 000003
【図３】
0003553296.tif 000004